(57)【特許請求の範囲】
【請求項１】
反射型または半透過型の表示パネルと、
前記表示パネルの上面に設けられた光拡散層と、
前記光拡散層を介して前記表示パネルに光を供給する補助光源と
を備え、
前記光拡散層は、特定方位から第１角度範囲および第２角度範囲で入射する光を相対的に強く拡散し、それ以外の角度範囲で入射する光を相対的に弱く拡散する異方性前方拡散層であり、
前記第１角度範囲は、１つの角度範囲又は２つ以上の角度範囲を合成した角度範囲であり、第１角度範囲を構成する前記１つの角度範囲又は前記２つ以上の角度範囲の各々は光の拡散がピークとなる拡散中心軸を角度範囲内に有し、
前記第２角度範囲は、光の拡散がピークとなる拡散中心軸を角度範囲内に有する角度範囲であり、
前記第１角度範囲と、前記第２角度範囲の入射面対称角度範囲である第３角度範囲とは、前記第１角度範囲を構成する前記１つの角度範囲又は前記２つ以上の角度範囲の各々が有する拡散中心軸と、前記第２角度範囲が有する拡散中心軸を前記光拡散層における光の入射面を基準として対称に折り返した拡散中心軸とを含まない一部の角度範囲において互いに重なり合っており、
前記補助光源は、当該補助光源側から入射する当該補助光源の光、または前記表示パネルで反射され、前記表示パネル側から入射する当該補助光源の光が前記光拡散層に対して前記第２角度範囲で主に入射するように構成されている
表示装置。
【請求項２】
前記入射面の法線に対する前記対称に折り返した拡散中心軸の角度は、前記法線に対する前記第１角度範囲を構成する前記１つの角度範囲又は前記２つ以上の角度範囲の各々が有する拡散中心軸の角度よりも大きな角度である
請求項１に記載の表示装置。
【請求項３】
前記光拡散層は、
特定方位から前記第１角度範囲で入射する光を相対的に強く拡散し、それ以外の角度範囲で入射する光を相対的に弱く拡散する第１異方性前方拡散層と、
特定方位から前記第２角度範囲で入射する光を相対的に強く拡散し、それ以外の角度範囲で入射する光を相対的に弱く拡散する第２異方性前方拡散層と
を有する
請求項１に記載の表示装置。
【請求項４】
前記第２異方性前方拡散層が、前記第１異方性前方拡散層の上面側に配置され、
前記補助光源は、当該補助光源側から入射する当該補助光源の光が前記光拡散層に対して前記第２角度範囲で主に入射するように構成されている
請求項３に記載の表示装置。
【請求項５】
前記第２異方性前方拡散層が、前記第１異方性前方拡散層の下面側に配置され、
前記補助光源は、前記表示パネルで反射され、前記表示パネル側から入射する当該補助光源の光が前記光拡散層に対して前記第２角度範囲で主に入射するように構成されている
請求項３に記載の表示装置。
【請求項６】
前記第１異方性前方拡散層は、単一の拡散中心軸を有する１または複数の異方性前方拡散層で構成されている
請求項３に記載の表示装置。
【請求項７】
前記第１異方性前方拡散層は、
複数の拡散中心軸を有する第３異方性前方拡散層と、
単一の拡散中心軸を有する第４異方性前方拡散層と
で構成されている
請求項３に記載の表示装置。
【請求項８】
前記光拡散層は、単層の異方性前方拡散層である
請求項１に記載の表示装置。
【請求項９】
前記光拡散層は、前記表示パネル側から入射する光のうち、前記光拡散層に対して前記第２角度範囲で入射する成分の光を相対的に強く拡散し、それ以外の角度範囲で入射する成分の光を相対的に弱く拡散し、さらに、前記表示パネルとは反対側から入射する光のうち、前記光拡散層に対して前記第１角度範囲で入射する成分の光を相対的に強く拡散し、それ以外の角度範囲で入射する成分の光を相対的に弱く拡散するようになっている
請求項１に記載の表示装置。
【請求項１０】
前記光拡散層は、前記表示パネル側から入射する光のうち、前記光拡散層に対して前記第１角度範囲で入射する成分の光を相対的に強く拡散し、それ以外の角度範囲で入射する成分の光を相対的に弱く拡散し、さらに、前記表示パネルとは反対側から入射する光のうち、前記光拡散層に対して前記第１角度範囲で入射する成分の光を相対的に強く拡散し、それ以外の角度範囲で入射する成分の光を相対的に弱く拡散するようになっている
請求項１に記載の表示装置。
【請求項１１】
表示装置を備え、
前記表示装置は、
反射型または半透過型の表示パネルと、
前記表示パネルの上面に設けられた光拡散層と、
前記光拡散層を介して前記表示パネルに光を供給する補助光源と
を有し、
前記光拡散層は、特定方位から第１角度範囲および第２角度範囲で入射する光を相対的に強く拡散し、それ以外の角度範囲で入射する光を相対的に弱く拡散する異方性前方拡散層であり、
前記第１角度範囲は、１つの角度範囲又は２つ以上の角度範囲を合成した角度範囲であり、第１角度範囲を構成する前記１つの角度範囲又は前記２つ以上の角度範囲の各々は光の拡散がピークとなる拡散中心軸を角度範囲内に有し、
前記第２角度範囲は、光の拡散がピークとなる拡散中心軸を角度範囲内に有する角度範囲であり、
前記第１角度範囲と、前記第２角度範囲の入射面対称角度範囲である第３角度範囲とは、前記第１角度範囲を構成する前記１つの角度範囲又は前記２つ以上の角度範囲の各々が有する拡散中心軸と、前記第２角度範囲が有する拡散中心軸を前記光拡散層における光の入射面を基準として対称に折り返した拡散中心軸とを含まない一部の角度範囲において互いに重なり合っており、
前記補助光源は、当該補助光源側から入射する当該補助光源の光、または前記表示パネルで反射され、前記表示パネル側から入射する当該補助光源の光が前記光拡散層に対して前記第２角度範囲で主に入射するように構成されている
電子機器。
【発明の詳細な説明】
【技術分野】
【０００１】
本技術は、反射型、または反射部と透過部とを兼ね備えた半透過型の表示装置およびそれを備えた電子機器に関する。
【背景技術】
【０００２】
近年、携帯電話や電子ペーパーなどのモバイル機器向けの表示装置の需要が高くなっており、反射型の表示装置が注目されている。反射型の表示装置は、外部からの入射光（周辺光）を反射板で反射させて表示を行うものであり、バックライトを必要としない。そのため、バックライトの分だけ消費電力が節約されるので、透過型の表示装置を用いた場合と比べて、モバイル機器の長時間駆動が可能である。また、バックライトが不要であることから、その分だけ軽量化や小型化も可能となる。
【０００３】
反射型の表示装置では、外光を利用して表示を行うために、拡散機能を持った層を表示装置内に設ける必要がある。例えば、特許文献１では、反射電極に凹凸を設けることにより、反射電極に拡散機能を付与することが開示されている。また、特許文献２〜６には、反射電極に凹凸を設ける代わりに、拡散フィルムをガラス基板の上面に設けることが開示されている。
【先行技術文献】
【特許文献】
【０００４】
【特許文献１】特許第２７７１３９２号
【特許文献２】特許第３６２９９９１号
【特許文献３】特開平１１−３２６８９５号公報
【特許文献４】特開平１１−７００７号公報
【特許文献５】特開平１１−３２６８８４号公報
【特許文献６】特開平１１−１０９３４８号公報
【発明の概要】
【発明が解決しようとする課題】
【０００５】
ところで、反射型の表示装置では、暗い場所での視認性が低いため、補助光源が設けられていることが好ましい。しかし、例えば、上述の拡散フィルムとして拡散方向に異方性を有する前方拡散フィルムが設けられている場合には、補助光源の位置が限定されてしまうというという問題があった。
【０００６】
本技術はかかる問題点に鑑みてなされたもので、その目的は、補助光源の位置に自由度を持たせることの可能な表示装置およびそれを備えた電子機器を提供することにある。
【課題を解決するための手段】
【０００７】
本技術による第１の表示装置は、反射型または半透過型の表示パネルと、表示パネルの上面に設けられた光拡散層と、光拡散層を介して表示パネルに光を供給する補助光源とを備えたものである。光拡散層は、特定方位から第１角度範囲および第２角度範囲で入射する光を相対的に強く拡散し、それ以外の角度範囲で入射する光を相対的に弱く拡散する異方性前方拡散層である。光拡散層は、第１角度範囲内の第１の特定角度に対応する第１の拡散中心軸と、第２角度範囲内の第２の特定角度に対応する第２の拡散中心軸とを有している。第１角度範囲と、第２角度範囲の入射面対称角度範囲である第３角度範囲とは、第１の特定角度と、第２の特定角度の入射面対称角度とを含まない一部の角度範囲において互いに重なり合っている。補助光源は、当該補助光源側から入射する当該補助光源の光、または表示パネルで反射され、表示パネル側から入射する当該補助光源の光が光拡散層に対して第２角度範囲で主に入射するように構成されている。
【０００８】
ここで、「入射面対称角度範囲」とは、特定方位から第２角度範囲内の角度で光が入射する入射面を基準として、第２角度範囲を対称に折り返したときの角度範囲を意味している。「入射面対称角度」とは、特定方位から第２角度範囲内の角度で光が入射する入射面を基準として、第２角度を対称に折り返したときの角度を意味している。
【０００９】
本技術による第１の電子機器は、上記の第１の表示装置を備えたものである。
【００１０】
本技術による第１の表示装置および第１の電子機器では、第２角度範囲が、第１角度範囲とは別個に設けられている。さらに、第１角度範囲と、第２角度範囲の入射面対称角度範囲である第３角度範囲とが、第１の特定角度と、第２の特定角度の入射面対称角度とを含まない一部の角度範囲において互いに重なり合っている。ここで、第２角度範囲を、補助光源の光を映像表示に用いるための拡散範囲として用い、第１角度範囲を、環境光を映像表示に用いるための拡散範囲として用いることにより、第１角度範囲（第３角度範囲を除く）内に光が主に入るように補助光源を位置決めする必要がない。
【００１１】
本技術による第２の表示装置は、反射型または半透過型の表示パネルと、表示パネルの上面に設けられた光拡散層と、光拡散層を介して表示パネルに光を供給する補助光源とを備えたものである。光拡散層は、特定方位から第１角度範囲および第２角度範囲で入射する光を相対的に強く拡散し、それ以外の角度範囲で入射する光を相対的に弱く拡散する異方性前方拡散層である。光拡散層は、第１角度範囲内の第１の特定角度に対応する第１の拡散中心軸と、第２角度範囲内の第２の特定角度に対応する第２の拡散中心軸とを有している。第１角度範囲および第２角度範囲は、第１の特定角度と、第２の特定角度とを含まない一部の角度範囲において互いに重なり合っている。補助光源は、当該補助光源側から入射する当該補助光源の光、または表示パネルで反射され、表示パネル側から入射する当該補助光源の光が光拡散層に対して第２角度範囲で主に入射するように構成されている。
【００１２】
本技術による第２の電子機器は、上記の第２の表示装置を備えたものである。
【００１３】
本技術による第２の表示装置および第２の電子機器では、第２角度範囲が、第１角度範囲とは別個に設けられている。さらに、第１角度範囲および第２角度範囲が、第１の特定角度と、第２の特定角度とを含まない一部の角度範囲において互いに重なり合っている。ここで、第２角度範囲を、補助光源の光を映像表示に用いるための拡散範囲として用い、第１角度範囲を、環境光を映像表示に用いるための拡散範囲として用いることにより、第１角度範囲（第２角度範囲を除く）内に光が主に入るように補助光源を位置決めする必要がない。
【発明の効果】
【００１４】
本技術による第１および第２の表示装置ならびに第１および第２の電子機器によれば、第１角度範囲（第２角度範囲および第３角度範囲を除く）内に光が主に入るように補助光源を位置決めしなくてもよいようにしたので、補助光源の位置に自由度を持たせることができる。
【図面の簡単な説明】
【００１５】
【図１】本技術の一実施の形態に係る表示装置の構成の一例を表す断面図である。
【図２】図１の環境光用の３つの光拡散層のうち最下層の構造および作用の一例を表す図である。
【図３】図１の環境光用の３つの光拡散層のうち中間層の構造および作用の一例を表す図である。
【図４】図１の環境光用の３つの光拡散層のうち最上層の構造および作用の一例を表す図である。
【図５】図１の補助光源用の光拡散層の構造および作用の一例を表す図である。
【図６】図１の各光拡散層の拡散範囲の関係の一例を表す図である。
【図７】図１の表示装置において環境光を利用した映像表示の一例を表す概念図である。
【図８】図１の表示装置において補助光源の光を利用した映像表示の一例を表す概念図である。
【図９】図１の環境光用の３つの光拡散層のうち最下層の構造および作用の他の例を表す図である。
【図１０】図１の環境光用の３つの光拡散層のうち中間層の構造および作用の他の例を表す図である。
【図１１】図１の環境光用の３つの光拡散層のうち最上層の構造および作用の他の例を表す図である。
【図１２】図５、図９〜図１１の各光拡散層の拡散範囲の関係の一例を表す図である。
【図１３】図１の表示装置の構成の第１変形例を表す断面図である。
【図１４】図１の表示装置の構成の第２変形例を表す断面図である。
【図１５】図１の表示装置の構成の第３変形例を表す断面図である。
【図１６】図１の表示装置の構成の第４変形例を表す断面図である。
【図１７】図１の表示装置の構成の第５変形例を表す断面図である。
【図１８】図１の補助光源用の光拡散層の構造および作用の他の例を表す図である。
【図１９】図１８、図３〜図５の各光拡散層の拡散範囲の関係の一例を表す図である。
【図２０】図１８、図９〜図１１の各光拡散層の拡散範囲の関係の一例を表す図である。
【図２１】一適用例に係る電子機器の構成の一例を表す斜視図である。
【発明を実施するための形態】
【００１６】
以下、発明を実施するための形態について、図面を参照して詳細に説明する。なお、説明は以下の順序で行う。
１．実施の形態（表示装置）
２．変形例（表示装置）
３．適用例（電子機器）
【００１７】
＜１．実施の形態＞
[構成]
図１は、本技術の一実施の形態に係る表示装置１の断面構成の一例を表すものである。なお、図１は模式的に表したものであり、実際の寸法、形状と同一とは限らない。表示装置１は、例えば、図１に示したように、液晶表示パネル１０と、液晶表示パネル１０の上面に配置された光学積層体２０と、液晶表示パネル１０を駆動する駆動部６０と、補助光源７０を備えている。この表示装置１において光学積層体２０の上面が映像表示面となっており、液晶表示パネル１０の背後には、バックライトなどの光源は配置されていない。なお、表示装置１が本技術の「表示装置」の一具体例に相当し、液晶表示パネル１０が本技術の「表示パネル」の一具体例に相当する。また、補助光源７０が本技術の「補助光源」の一具体例に相当する。
【００１８】
（液晶表示パネル１０）
液晶表示パネル１０は、反射型または半透過型の液晶パネルである。液晶表示パネル１０は、例えば、図１に示したように、下側基板３０と、上側基板４０と、下側基板３０および上側基板４０の間に挟まれた液晶層５０とを有している。
【００１９】
（液晶層５０）
液晶層５０は、例えば、ネマティック（Nematic）液晶を含んで構成されている。液晶層５０は、映像信号に応じて駆動されるものであり、映像信号に応じた電圧が印加されることにより、液晶層に入射する光を画素ごとに透過または遮断する変調機能を有している。なお、液晶の光透過レベルを変えることにより画素ごとの階調が調整される。
【００２０】
（下側基板３０）
下側基板３０は、例えば、図１に示したように、ＴＦＴ（Thin Film Transistor）などが形成された駆動基板３１と、ＴＦＴなどを覆う絶縁層３２と、ＴＦＴなどと電気的に接続された反射電極層３３と、反射電極層３３の上面に形成された配向膜３４とを有している。
【００２１】
駆動基板３１は、例えば、ガラス基板などからなる透明基板上に、ＴＦＴや容量素子などを含んで構成された画素回路を有している。透明基板は、ガラス基板以外の材料で構成されていてもよく、例えば、透光性の樹脂基板や、石英、シリコン基板などで構成されていてもよい。
【００２２】
反射電極層３３は、上側基板４０側の透明電極層４２（後述）と共に液晶層５０を駆動するものであり、例えば、面内に２次元配置された複数の画素電極からなる。画素電極および透明電極層４２は、電圧が印加されると、画素電極および透明電極層４２間の電位差に応じた電界を、画素電極と透明電極層４２の間に発生させ、その電界の大きさ応じて液晶層５０を駆動するようになっている。表示装置１のうち、画素電極と透明電極層４２とが互いに対向する部分に対応する部分が、画素電極および透明電極層４２間に印加される電圧によって液晶層５０を部分的に駆動することの可能な最小単位となっている。この最小単位が液晶表示パネル１０の画素に相当する。また、反射電極層３３は、液晶層５０を介して入射する環境光を液晶層５０側に反射する反射層としての役割を有している。反射電極層３３は、可視光を反射する導電性材料からなり、例えば、Ａｇなどの金属材料からなる。反射電極層３３の表面は、例えば、鏡面となっている。
【００２３】
配向膜３４は、液晶層５０内の液晶分子を所定の方向に配向させるものであり、液晶層５０と直接に接している。配向膜３４は、例えば、ポリイミドなどの高分子材料からなり、例えば、塗布したポリイミド等に対してラビング処理を施すことにより形成されたものである。
【００２４】
（上側基板４０）
上側基板４０は、例えば、図１に示したように、配向膜４１と、透明電極層４２と、カラーフィルタ（ＣＦ）層４３と、透明基板４４とを液晶層５０側からこの順に有している。
【００２５】
配向膜４１は、液晶層５０内の液晶分子を所定の方向に配向させるものであり、液晶層５０と直接に接している。配向膜２１は、例えば、ポリイミドなどの高分子材料からなり、例えば、塗布したポリイミド等に対してラビング処理を施すことにより形成されたものである。
【００２６】
透明電極層４２は、各画素電極と対向して配置されており、例えば、面内全体に形成されたシート状の電極である。透明電極層４２は、各画素電極と対向して配置されていることから、各画素における共通電極としての役割を有している。透明電極層４２は、環境光に対して透明な導電性材料で構成されており、例えば、ＩＴＯ（Indium Tin Oxide；酸化インジウムスズ））で構成されている。
【００２７】
ＣＦ層４３は、画素電極と対向する領域にカラーフィルタ４３Ａを有し、画素電極と非対向の領域に遮光膜４３Ｂを有している。カラーフィルタ４３Ａは、液晶層５０を過してきた光を、例えば、赤、緑および青の三原色にそれぞれ色分離するためのカラーフィルタを、画素に対応させて配列したものである。遮光膜４３Ｂは、例えば、可視光を吸収する機能を有している。遮光膜４３Ｂは、画素と画素の間に形成されている。透明基板４４は、環境光に対して透明な基板、例えば、ガラス基板などからなる。
【００２８】
（光学積層体２０）
光学積層体２０は、例えば、図１に示したように、透明基板４４の上面に、光拡散層２１〜２４と、１／４λ板２５と、１／２λ板２６と、偏光板２７とを液晶層５０側からこの順に有している。光拡散層２１〜２４、１／４λ板２５、１／２λ板２６および偏光板２７は、例えば、隣接する他の層と粘着層や接着層で接合されている。
【００２９】
光拡散層２１〜２３は環境光用の光拡散層であり、光拡散層２４は補助光源７０用の光拡散層である。光拡散層２１〜２４は、特定方位から特定の角度範囲で入射する光を相対的に強く拡散し、それ以外の角度範囲で入射する光を相対的に弱く拡散する異方性前方拡散層である。上記の特定方位は、例えば、主視角方向と平行な方位となっている。ここで、主視角方向とは、表示装置１のユーザが表示装置１を使用する際に映像表示面を眺める方向に対応しており、映像表示面が方形状となっている場合には、映像表示面の一辺のうちユーザに最も近い辺と直交する方向に対応している。光拡散層２１〜２４において、拡散光の拡散分布は、例えば、等方性を有している。なお、光拡散層２１〜２４において、拡散光の拡散分布は、主視角方向に延在する異方性を有していてもよい。
【００３０】
図２〜図５は、光拡散層２１〜２４の光学的な作用の一例を、光拡散層２１〜２４の断面構成の一例と共に模式的に表したものである。光拡散層２１は、例えば、図２に示したように、光拡散層２１の下面側から入射する光Ｌ２のうち、特定の方位から特定の角度範囲φ１±α１で入射する成分の光を相対的に強く拡散し、それ以外の成分の光（例えば図中の光Ｌ１）を相対的に弱く拡散する異方性拡散層である。光拡散層２１は、さらに、特定の角度範囲φ１±α１内の特定角度に対応する拡散中心軸を有している。例えば、図２に示したように、光拡散層２１は、光拡散層２１の下面側から光Ｌ２が入射角ψ１で入射したときにその光Ｌ２の拡散がピークとなる拡散中心軸ＡＸ１を有している。
【００３１】
なお、「入射角」とは、光の光軸と光入射面の法線とのなす角を指している。また、「光Ｌ２が入射角ψ１で入射したときにその光Ｌ２の拡散がピークとなる」とは、光Ｌ２が光拡散層２１によって拡散されて光拡散層２１の上面に出射したときに、その拡散光の拡散範囲が極大となる光Ｌ２の入射角がψ１であることを意味している。従って、拡散中心軸ＡＸ１は、角度ψ１で光拡散層２１の法線と交差する方向に延在する軸を指している。拡散中心軸ＡＸ１の角度ψ１は、例えば３０度である。
【００３２】
光拡散層２２は、例えば、図３に示したように、光拡散層２２の下面側から入射する光Ｌ４のうち、特定の方位から特定の角度範囲φ２±α２で入射する成分の光を相対的に強く拡散し、それ以外の成分の光（例えば図中の光Ｌ３）を相対的に弱く拡散する異方性拡散層である。光拡散層２２は、さらに、特定の角度範囲φ２±α２内の特定角度に対応する拡散中心軸を有している。例えば、図３に示したように、光拡散層２２は、光拡散層２２の下面側から光Ｌ４が入射角ψ２で入射したときにその光Ｌ４の拡散がピークとなる拡散中心軸ＡＸ２を有している。
【００３３】
なお、「光Ｌ４が入射角ψ２で入射したときにその光Ｌ４の拡散がピークとなる」とは、光Ｌ４が光拡散層２２によって拡散されて光拡散層２２の上面に出射したときに、その拡散光の拡散範囲が極大となる光Ｌ４の入射角がψ２であることを意味している。従って、拡散中心軸ＡＸ２は、角度ψ２で光拡散層２２の法線と交差する方向に延在する軸を指している。拡散中心軸ＡＸ２の角度ψ２は、例えば４５度である。
【００３４】
光拡散層２３は、例えば、図４に示したように、光拡散層２３の下面側から入射する光Ｌ６のうち、特定の方位から特定の角度範囲φ３±α３で入射する成分の光を相対的に強く拡散し、それ以外の成分の光（例えば図中の光Ｌ５）を相対的に弱く拡散する異方性拡散層である。光拡散層２３は、さらに、特定の角度範囲φ３±α３内の特定角度に対応する拡散中心軸を有している。例えば、図４に示したように、光拡散層２３は、光拡散層２３の下面側から光Ｌ６が入射角ψ３で入射したときにその光Ｌ６の拡散がピークとなる拡散中心軸ＡＸ３を有している。
【００３５】
なお、「光Ｌ６が入射角ψ３で入射したときにその光Ｌ６の拡散がピークとなる」とは、光Ｌ６が光拡散層２３によって拡散されて光拡散層２３の上面に出射したときに、その拡散光の拡散範囲が極大となる光Ｌ６の入射角がψ３であることを意味している。従って、拡散中心軸ＡＸ３は、角度ψ３で光拡散層２３の法線と交差する方向に延在する軸を指している。拡散中心軸ＡＸ３の角度ψ３は、例えば１０度である。
【００３６】
光拡散層２４は、例えば、図５に示したように、光拡散層２４の上面側から入射する光Ｌ７のうち、特定の方位から特定の角度範囲φ４±α４で入射する成分の光を相対的に強く拡散し、それ以外の成分の光（例えば図中の光Ｌ８）を相対的に弱く拡散する異方性拡散層である。光拡散層２４は、さらに、特定の角度範囲φ４±α４内の特定角度に対応する拡散中心軸を有している。例えば、図５に示したように、光拡散層２４は、光拡散層２４の上面側から光Ｌ７が入射角ψ４で入射したときにその光Ｌ７の拡散がピークとなる拡散中心軸ＡＸ４を有している。
【００３７】
なお、「光Ｌ７が入射角ψ４で入射したときにその光Ｌ７の拡散がピークとなる」とは、光Ｌ７が光拡散層２４によって拡散されて光拡散層２４の上面に出射したときに、その拡散光の拡散範囲が極大となる光Ｌ７の入射角がψ４であることを意味している。従って、拡散中心軸ＡＸ４は、角度ψ４で光拡散層２４の法線と交差する方向に延在する軸を指している。拡散中心軸ＡＸ４の角度ψ４は、例えば８５度である。
【００３８】
３つの光拡散層２１〜２３のうち中間層である光拡散層２２の拡散中心軸ＡＸ４の角度ψ２は、３つの光拡散層２１〜２３のうち中間層以外の光拡散層２１，２３の拡散中心軸ＡＸ１，ＡＸ３の角度ψ１，ψ３よりも大きくなっている。これは、視野角をより広げるためである。また、３つの光拡散層２１〜２３のうち最上層である光拡散層２３の拡散中心軸ＡＸ６の角度ψ３は、３つの光拡散層２１〜２３のうち最上層以外の光拡散層２１，２２の拡散中心軸ＡＸ１，ＡＸ２の角度ψ１，ψ２よりも小さくなっている。これは、正面方向の輝度をより高くするためである。光拡散層２４の拡散中心軸ＡＸ４の角度ψ４は、３つの光拡散層２１〜２３の拡散中心軸ＡＸ１〜ＡＸ３よりも大きな角度となっている。
【００３９】
光拡散層２１は、例えば、図２に示したように、屈折率の互いに異なる２種類の領域（第１領域２１Ａ，第２領域２１Ｂ）を含んで構成されている。同様に、光拡散層２２は、例えば、図３に示したように、屈折率の互いに異なる２種類の領域（第１領域２２Ａ，第２領域２２Ｂ）を含んで構成されている。光拡散層２３は、例えば、図４に示したように、屈折率の互いに異なる２種類の領域（第１領域２３Ａ，第２領域２３Ｂ）を含んで構成されている。光拡散層２４は、例えば、図５に示したように、屈折率の互いに異なる２種類の領域（第１領域２４Ａ，第２領域２４Ｂ）を含んで構成されている。光拡散層２１〜２４は、図示しないが、ルーバー構造となっていてもよいし、柱状構造となっていてもよい。
【００４０】
第１領域２１Ａおよび第２領域２１Ｂは、光拡散層２１の厚さ方向に延在するとともに所定の方向に傾斜して形成されている。同様に、第１領域２２Ａおよび第２領域２２Ｂは、光拡散層２２の厚さ方向に延在するとともに所定の方向に傾斜して形成されている。第１領域２３Ａおよび第２領域２３Ｂは、光拡散層２３の厚さ方向に延在するとともに所定の方向に傾斜して形成されている。第１領域２４Ａおよび第２領域２４Ｂは、光拡散層２４の厚さ方向に延在するとともに所定の方向に傾斜して形成されている。光拡散層２１〜２４は、例えば、屈折率の互いに異なる２種類以上の光重合可能なモノマーまたはオリゴマーの混合物である樹脂シートに、紫外線を斜め方向から照射することにより形成されたものである。なお、光拡散層２１〜２４は、上記とは異なる構造となっていてもよく、また、上記とは異なる方法で製造されたものであってもよい。光拡散層２１〜２４は、互いに等しい構造となっていてもよいし、互いに異なる構造となっていてもよい。
【００４１】
図６は、各光拡散層２１〜２４の拡散特性を模式的に表したものである。図６において、第１角度範囲２０Ｂは、各光拡散層２１〜２３の角度範囲φ１±α１、φ２±α２、φ３±α３（図示せず）を合成した角度範囲である。拡散中心軸ＡＸ４’は、入射面２０Ａを基準として、拡散中心軸ＡＸ４を入射面２０Ａの法線方向に折り返したものである。第２角度範囲２０Ｂは、光拡散層２４の角度範囲φ４±α４に対応するものである。第３角度範囲２０Ｄは、入射面２０Ａを基準として、光拡散層２４の角度範囲φ４±α４を入射面２０Ａの法線方向に折り返したものである。重複角度範囲２０Ｅは、第１角度範囲２０Ｂと第３角度範囲２０Ｄとが互いに重複している角度範囲である。重複角度範囲２０Ｅは、第１角度範囲２０Ｂにとっては僅かな領域であるが、第３角度範囲２０Ｄにとっては比較的大きな割合を占めている。
【００４２】
図６から、第１角度範囲２０Ｂおよび第３角度範囲２０Ｄは、拡散中心軸ＡＸ１〜ＡＸ３，ＡＸ４’を含まない一部の角度範囲（重複角度範囲２０Ｅ）において互いに重なり合っている。そのため、光拡散層２４は、入射面２０Ａを基準として、重複角度範囲２０Ｅを入射面２０Ａの法線方向に折り返した角度範囲内で上面に入射した光を拡散することになる。さらに、光拡散層２１〜２３のうちの一部の光拡散層は、重複角度範囲２０Ｅ内で底面に入射した光を拡散することになる。しかし、上述したように、重複角度範囲２０Ｅは、第１角度範囲２０Ｂにとっては僅かな領域である。そのため、第１角度範囲２０Ｂのうち重複角度範囲２０Ｅの成分をほとんど有しない光（典型的には環境光）が光拡散層２４の上面に入射した場合には、光拡散層２４は、その光にほとんど影響を与えることがなく、その光を透過させる。従って、光拡散層２４は、補助光源７０の光を効果的に拡散する一方で、環境光などの、重複角度範囲２０Ｅの成分をほとんど有しない光に対しては、ほとんど何も影響を与えることがない。
【００４３】
（駆動回路６０）
（補助光源７０）
駆動回路６０は、例えば、映像信号に応じた電圧を反射電極層３３に含まれる各画素電極に印加することにより、液晶表示パネル１０内の各画素を駆動するようになっている。補助光源７０は、例えば、環境光の照度が十分でないとき（例えば、夜間や、屋内にいるとき）に、環境光を補うために用いられるものである。補助光源７０は、映像表示面と非対向の領域に配置されており、例えば、図１に示したように、映像表示面の脇に配置されている。補助光源７０は、例えば、指向性を持たせたＬＥＤ（Light Emitting Diode：発光ダイオード）を含んで構成されており、映像表示面全体に補助光源７０の光が入射するようになっている。補助光源７０は、光拡散層２１〜２４などを含む光学積層体２０を介して液晶表示パネル１０に光を供給するようになっている。具体的には、補助光源７０は、補助光源７０側から入射する補助光源７０の光が、光拡散層２４に対して第２角度範囲２０Ｃで主に入射するように構成されている。つまり、環境光を利用した映像表示の際に使用する第１角度範囲２０Ｂ（重複角度範囲２０Ｅを除く）内に光が主に入るように補助光源７０を位置決めする必要がない。
【００４４】
ここで、第２角度範囲２０Ｃは、光拡散層２４の角度範囲φ４±α４に対応した角度範囲であることから、補助光源７０の光が映像表示面や光拡散層２４に入射する角度も非常に大きな角度となる。しかも、補助光源７０の光の、光拡散層２４に対する入射角は、補助光源７０寄りで小さく、補助光源７０から離れた箇所で大きくなっている。つまり、補助光源７０の光の、光拡散層２４に対する入射角は、比較的大きな幅を持っている。
【００４５】
[作用、効果]
次に、図７、図８を参照しつつ、本実施の形態の表示装置１の作用、効果の一例について説明する。図７は、環境光を利用した映像表示を模式的に表したものである。図８は、補助光源７０の光を利用した映像表示を模式的に表したものである。なお、図７、図８では、１／４λ板２５、１／２λ板２６および偏光板２７の記載が省略されている。
【００４６】
（環境光を利用した映像表示）
特定の方位から特定の範囲の角度（例えば、入射角３０度）で入射してきた環境光Ｌａは、偏光板２７によって直線偏光に変換され、さらに１／２λ板２６および１／４λ板２５によって円偏光に変換され、液晶表示パネル１０に到達する。液晶表示パネル１０に到達した環境光Ｌａのうち、電圧の印加されていない画素に入射した光は、例えば、液晶層５０で直線偏光に変換されて反射電極層３３に達する。反射電極層３３で反射された光（反射光Ｌｂ）は、逆の経路をたどって、元の円偏光に戻される。円偏光は、１／２λ板２６および１／４λ板２５によって元の直線偏光に戻り、偏光板２７を通過する。従って、この場合には、画素は、明表示となる。また、液晶表示パネル１０に到達した環境光Ｌａのうち、電圧の印加されている画素に入射した光は、円偏光のまま反射電極層３３に達し、反射電極層３３で反射されて円偏光になる。この光は１／２λ板２６および１／４λ板２５によって直線偏光に戻るが、この直線偏光の偏光軸が偏光板２７の透過軸と直交する。そのため、この直線偏光は偏光板２７で吸収される。従って、この場合には、画素は暗表示となる。
【００４７】
ところで、環境光Ｌａは、光拡散層２１〜２４を通過したのち、液晶表示パネル１０に到達する。しかし、光拡散層２１〜２４の拡散強度には入射角依存性があるので、環境光Ｌａは、ほとんど散乱されずに光拡散層２１〜２４を透過し、液晶表示パネル１０に到達する。一方、反射光Ｌｂは、光拡散層２１〜２４を通過したのち、液晶表示パネル１０の外部に射出される。このとき、反射光Ｌｂは、例えば入射角３０度で光拡散層２１の下面に入射するので、光拡散層２１で強く拡散される。光拡散層２１で強く拡散された光のうち、小さな入射角（おおむね１０度）で光拡散層２２の下面に入射した拡散光Ｌｃは、光拡散層２２の拡散範囲に入らないので、ほとんど散乱されずに光拡散層２２を透過する。一方、光拡散層２１で強く拡散された光のうち、大きな入射角（おおむね６０度）で光拡散層２２の下面に入射した拡散光Ｌｄは、光拡散層２２で強く拡散される。
【００４８】
光拡散層２２でほとんど散乱されずに光拡散層２２を透過した拡散光Ｌｃは、小さな入射角（おおむね１０度）で光拡散層２３の下面に入射する。そのため、拡散光Ｌｃは、光拡散層２３で強く拡散される。光拡散層２３で強く拡散された光は、正面方向に向かう拡散光Ｌｆとなり、光拡散層２４の下面に入射する。拡散光Ｌｆは、光拡散層２４の拡散範囲に入らないので、ほとんど散乱されずに光拡散層２４を透過して、液晶表示パネル１０の外部に射出される。
【００４９】
一方、光拡散層２２で強く拡散されて光拡散層２２を透過した拡散光Ｌｅは、大きな入射角（１０度よりも大幅に大きな角度）で光拡散層２３の下面に入射する。拡散光Ｌｅは、光拡散層２３の拡散範囲に入らないので、ほとんど散乱されずに光拡散層２３を透過して、光拡散層２４の下面に入射する。拡散光Ｌｅは、光拡散層２４の拡散範囲にも入らないので、ほとんど散乱されずに光拡散層２４を透過して、液晶表示パネル１０の外部に射出される。
【００５０】
このように、本実施の形態では、液晶表示パネル１０で反射され下面側から入射してきた環境光（拡散光Ｌｂ）に対する拡散範囲を光拡散層２１によって限定的にすることができる一方で、光拡散層２２，２３によって最下層の光拡散層２１の拡散範囲よりも広げることができる。さらに、拡散強度の強弱の境界での強度変化を少なくすることができる。これにより、見栄えの自然な画像を表示することができる。
【００５１】
また、本実施の形態では、光拡散層２３の拡散中心軸ＡＸ３の角度ψ３が、光拡散層２１，２２の拡散中心軸ＡＸ１，ＡＸ２の角度ψ１，ψ２よりも小さくなっているので、画像ボケの少ない自然な画像を表示することができる。さらに、白輝度の高い画像を表示することができる。
【００５２】
また、本実施の形態では、環境光Ｌａから生成された拡散光Ｌｅ，Ｌｆは、光拡散層２４の影響をほとんど受けることなく、光拡散層２４を透過することができる。つまり、光拡散層２４は、環境光Ｌａを利用した映像表示に際しては、何も作用をしていない。
【００５３】
（補助光源７０の光を利用した映像表示）
次に、補助光源７０の光を利用した映像表示について説明する。特定の方位から特定の範囲の角度（例えば、入射角８５度）で入射してきた補助光源７０の光（光源光Ｌｇ）は、偏光板２７によって直線偏光に変換され、さらに１／２λ板２６および１／４λ板２５によって円偏光に変換され、液晶表示パネル１０に到達する。液晶表示パネル１０に到達した光源光Ｌｇのうち、電圧の印加されていない画素に入射した光は、例えば、液晶層５０で直線偏光に変換されて反射電極層３３に達する。反射電極層３３で反射された光（反射光Ｌｂ）は、逆の経路をたどって、元の円偏光に戻される。円偏光は、１／２λ板２６および１／４λ板２５によって元の直線偏光に戻り、偏光板２７を通過する。従って、この場合には、画素は、明表示となる。また、液晶表示パネル１０に到達した光源光Ｌｇのうち、電圧の印加されている画素に入射した光は、円偏光のまま反射電極層３３に達し、反射電極層３３で反射されて円偏光になる。この光は１／２λ板２６および１／４λ板２５によって直線偏光に戻るが、この直線偏光の偏光軸が偏光板２７の透過軸と直交する。そのため、この直線偏光は偏光板２７で吸収される。従って、この場合には、画素は暗表示となる。
【００５４】
ところで、光源光Ｌｇは、光拡散層２４に対して第２角度範囲２０Ｃで主に入射する。そのため、光源光Ｌｇは、光拡散層２４で強く拡散されるとともに、光拡散層２１〜２３を透過し、液晶表示パネル１０に到達する。液晶表示パネル１０で反射された光（反射光Ｌｂ）は、光拡散層２１〜２４を通過したのち、液晶表示パネル１０の外部に射出される。このとき、反射光Ｌｂの一部は、例えば入射角３０度で光拡散層２１の下面に入射するので、光拡散層２１で強く拡散される。光拡散層２１で強く拡散された光のうち、小さな入射角（おおむね１０度）で光拡散層２３の下面に入射した拡散光Ｌｃは、光拡散層２２の拡散範囲に入らないので、ほとんど散乱されずに光拡散層２２を透過する。一方、光拡散層２１で強く拡散された光のうち、大きな入射角（おおむね６０度）で光拡散層２２の下面に入射した拡散光Ｌｄは、光拡散層２２で強く拡散される。
【００５５】
光拡散層２２でほとんど散乱されずに光拡散層２２を透過した拡散光Ｌｃは、小さな入射角（おおむね１０度）で光拡散層２３の下面に入射する。そのため、拡散光Ｌｃは、光拡散層２３で強く拡散される。光拡散層２３で強く拡散された光は、正面方向に向かう拡散光Ｌｆとなり、光拡散層２４の下面に入射する。拡散光Ｌｆは、光拡散層２４の拡散範囲に入らないので、ほとんど散乱されずに光拡散層２４を透過して、液晶表示パネル１０の外部に射出される。
【００５６】
一方、光拡散層２２で強く拡散されて光拡散層２２を透過した拡散光Ｌｅは、大きな入射角（１０度よりも大幅に大きな角度）で光拡散層２３の下面に入射する。拡散光Ｌｅは、光拡散層２３の拡散範囲に入らないので、ほとんど散乱されずに光拡散層２３を透過して、光拡散層２４の下面に入射する。拡散光Ｌｅは、光拡散層２４の拡散範囲にも入らないので、ほとんど散乱されずに光拡散層２４を透過して、液晶表示パネル１０の外部に射出される。
【００５７】
このように、本実施の形態では、非常に深い角度で入射させた光源光Ｌｇを光拡散層２４で拡散し、映像表示に利用している。これにより、暗い場所での視認性を高めることができる。また、本実施の形態では、補助光源７０は、補助光源７０の光が光拡散層２４に対して第２角度範囲２０Ｃで主に入射するように構成されているので、第１角度範囲２０Ｂ（重複角度範囲２０Ｅを除く）内に光が主に入るように補助光源７０を位置決めする必要がない。従って、第１角度範囲２０Ｂ（重複角度範囲２０Ｅを除く）に縛られることなく補助光源７０を配置することができるので、補助光源７０の位置に自由度を持たせることができる。また、本実施の形態では、補助光源７０は映像表示面と非対向の領域に配置されるので、タッチセンサーなどの入力インターフェースなどを表示装置１に実装することができる。
【００５８】
＜２．変形例＞
［第１変形例］
上記実施の形態では、光拡散層２１〜２３が出射時散乱の構成となっていたが、入射時散乱の構成となっていてもよい。具体的には、光拡散層２１〜２３が、例えば、図９〜図１１に示したように、液晶表示パネル１０側から入射する光のうち、光拡散層２１〜２３に対して第２角度範囲２０Ｃで入射する成分の光を強く拡散し、それ以外の角度範囲で入射する成分の光を弱く拡散するようになっていてもよい。
【００５９】
図１２に各光拡散層２１〜２４の拡散特性を模式的に示したように、本変形例においても、第１角度範囲２０Ｂおよび第２角度範囲２０Ｃは、拡散中心軸ＡＸ１〜ＡＸ３，ＡＸ４を含まない一部の角度範囲（重複角度範囲２０Ｅ）において互いに重なり合っている。そのため、光拡散層２１〜２３のうちの一部の光拡散層と、光拡散層２４はいずれも、重複角度範囲２０Ｅ内で底面に入射した光を拡散することになる。しかし、上述したように、重複角度範囲２０Ｅは、第１角度範囲２０Ｂにとっては僅かな領域である。そのため、第１角度範囲２０Ｂのうち重複角度範囲２０Ｅの成分をほとんど有しない光（典型的には環境光）が光拡散層２４の底面に入射した場合には、光拡散層２４は、その光にほとんど影響を与えることがなく、その光を透過させる。従って、光拡散層２４は、補助光源７０の光を効果的に拡散する一方で、環境光などの、重複角度範囲２０Ｅの成分をほとんど有しない光に対しては、ほとんど何も影響を与えることがない。
【００６０】
［第２変形例］
上記実施の形態において、例えば、図１３に示したように、２つの光拡散層２１，２２の機能を兼ね備えた単層の光拡散層６１が、２つの光拡散層２１，２２の代わりに設けられていてもよい。このとき、光拡散層６１は、例えば、光拡散層２１の下面側から入射する光の入射角がψ１のときに入射光の拡散がピークとなる拡散中心軸ＡＸ１を有している。さらに、光拡散層６１は、例えば、光拡散層２２の下面側から入射する光の入射角がψ２のときに入射光の拡散がピークとなる拡散中心軸ＡＸ２も有している。つまり、光拡散層６１は、拡散中心軸ＡＸ１と、拡散中心軸ＡＸ２とを同時に備えている。光拡散層６１は、例えば、バルク状の領域と、棒状の２種類の領域とを含んで構成されている。バルク状の領域と、棒状の領域とでは、屈折率が互いに異なっている。棒状の２種類の領域のうち一方の領域は、拡散中心軸ＡＸ１に対応した形状となっており、棒状の２種類の領域のうち他方の領域は、拡散中心軸ＡＸ２に対応した形状となっている。棒状の２種類の領域では、屈折率が互いに同一であってもよいし、互いに異なっていてもよい。光拡散層６１は、例えば、３種類の領域がそれぞれ、厚さ方向に延在するとともに所定の方向に傾斜して形成されたものである。
【００６１】
［第３変形例］
上記実施の形態において、例えば、図１４に示したように、２つの光拡散層２３，２４の機能を兼ね備えた単層の光拡散層６２が、２つの光拡散層２３，２４の代わりに設けられていてもよい。このとき、光拡散層６２は、例えば、光拡散層２３の下面側から入射する光の入射角がψ３のときに入射光の拡散がピークとなる拡散中心軸ＡＸ３を有している。さらに、光拡散層６２は、例えば、光拡散層２４の上面側から入射する光の入射角がψ４のときに入射光の拡散がピークとなる拡散中心軸ＡＸ４も有している。つまり、光拡散層６２は、拡散中心軸ＡＸ３と、拡散中心軸ＡＸ４とを同時に備えている。光拡散層６２は、例えば、バルク状の領域と、棒状の２種類の領域とを含んで構成されている。バルク状の領域と、棒状の領域とでは、屈折率が互いに異なっている。棒状の２種類の領域のうち一方の領域は、拡散中心軸ＡＸ３に対応した形状となっており、棒状の２種類の領域のうち他方の領域は、拡散中心軸ＡＸ４に対応した形状となっている。棒状の２種類の領域では、屈折率が互いに同一であってもよいし、互いに異なっていてもよい。光拡散層６２は、例えば、３種類の領域がそれぞれ、厚さ方向に延在するとともに所定の方向に傾斜して形成されたものである。
【００６２】
［第４変形例］
上記実施の形態において、例えば、図１５示したように、光拡散層６１が光拡散層２１，２２の代わりに設けられるとともに、光拡散層６２が光拡散層２３，２４の代わりに設けられていてもよい。
【００６３】
［第５変形例］
上記実施の形態において、例えば、図１６示したように、２つの光拡散層２２，２３が省略され、環境光用の光拡散層として光拡散層２１だけが設けられていてもよい。
【００６４】
［第６変形例］
上記実施の形態において、例えば、図１７示したように、補助光源用の光拡散光２４が環境光用の光拡散層２１〜２３の下面側に配置されていてもよい。ただし、その場合には、光拡散光２４は、出射時散乱の構成となっていることが好ましい。例えば、図１８に示したように、光拡散光２４は、液晶表示パネル１０側から入射する光のうち、光拡散光２４に対して第２角度範囲２０Ｃで入射する成分の光を相対的に強く拡散し、それ以外の角度範囲で入射する成分の光を相対的に弱く拡散するようになっていてもよい。
【００６５】
本変形例において、光拡散層２１〜２３は、図２〜図４に示したように、出射時散乱の構成となっていてもよい。この場合に、図１９に各光拡散層２１〜２４の拡散特性を模式的に示したように、第１角度範囲２０Ｂおよび第２角度範囲２０Ｃは、拡散中心軸ＡＸ１〜ＡＸ３，ＡＸ４を含まない一部の角度範囲（重複角度範囲２０Ｅ）において互いに重なり合っている。従って、光拡散層２４は、補助光源７０の光を効果的に拡散する一方で、環境光などの、重複角度範囲２０Ｅの成分をほとんど有しない光に対しては、ほとんど何も影響を与えることがない。
【００６６】
また、本変形例において、光拡散層２１〜２３は、図９〜図１１に示したように、入射時散乱の構成となっていてもよい。この場合にも、図２０に各光拡散層２１〜２４の拡散特性を模式的に示したように、第１角度範囲２０Ｂおよび第３角度範囲２０Ｄは、拡散中心軸ＡＸ１〜ＡＸ３，ＡＸ４を含まない一部の角度範囲（重複角度範囲２０Ｅ）において互いに重なり合っている。従って、光拡散層２４は、補助光源７０の光を効果的に拡散する一方で、環境光などの、重複角度範囲２０Ｅの成分をほとんど有しない光に対しては、ほとんど何も影響を与えることがない
【００６７】
＜３．適用例＞
次に、上記実施の形態およびその変形例に係る表示装置１の一適用例について説明する。図２１は、本適用例に係る電子機器１００の概略構成の一例を表す斜視図である。電子機器１００は、携帯電話機であり、例えば、図２１に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、例えば、表示装置１１３に対して映像信号を出力するようになっている。この制御部は、電子機器１００全体の制御を司る制御部の一部として、またはその制御部とは別に、本体部１１１または表示体部１１２の内部に設けられている。
【００６８】
表示装置１１３は、上記実施の形態およびその変形例に係る表示装置１と同一の構成を備えている。これにより、表示装置１１３において、補助光源７０の位置に自由度を持たせることができるので、電子機器１００のデザインにも自由度を持たせることができる。また、電子機器１００に対して、タッチセンサーなどの入力インターフェースなどを表示装置１に実装することもできる。また、表示装置１１３として表示装置１を用いていることにより、見栄えの自然な画像を表示することができる。また、表示装置１１３において、光拡散層１４の拡散中心軸ＡＸ６の角度ψ２が光拡散層１２，１３の拡散中心軸ＡＸ２，ＡＸ６の角度ψ１，ψ３よりも小さくなっている表示装置１が用いられている場合には、画像ボケの少ない自然な画像を表示することができる。さらに、白輝度の高い画像を表示することができる。
【００６９】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００７０】
また、例えば、本技術は以下のような構成を取ることができる。
（１）
反射型または半透過型の表示パネルと、
前記表示パネルの上面に設けられた光拡散層と、
前記光拡散層を介して前記表示パネルに光を供給する補助光源と
を備え、
前記光拡散層は、特定方位から第１角度範囲および第２角度範囲で入射する光を相対的に強く拡散し、それ以外の角度範囲で入射する光を相対的に弱く拡散する異方性前方拡散層であり、
前記光拡散層は、前記第１角度範囲内の第１の特定角度に対応する第１の拡散中心軸と、前記第２角度範囲内の第２の特定角度に対応する第２の拡散中心軸とを有し、
前記第１角度範囲と、前記第２角度範囲の入射面対称角度範囲である第３角度範囲とは、前記第１の特定角度と、前記第２の特定角度の入射面対称角度とを含まない一部の角度範囲において互いに重なり合っており、
前記補助光源は、当該補助光源側から入射する当該補助光源の光、または前記表示パネルで反射され、前記表示パネル側から入射する当該補助光源の光が前記光拡散層に対して前記第２角度範囲で主に入射するように構成されている
表示装置。
（２）
前記第２の特定角度の入射面対称角度は、前記第１の特定角度よりも大きな角度である
（１）に記載の表示装置。
（３）
前記光拡散層は、
特定方位から前記第１角度範囲で入射する光を相対的に強く拡散し、それ以外の角度範囲で入射する光を相対的に弱く拡散する第１異方性前方拡散層と、
特定方位から前記第２角度範囲で入射する光を相対的に強く拡散し、それ以外の角度範囲で入射する光を相対的に弱く拡散する第２異方性前方拡散層と
を有する
（１）または（２）に記載の表示装置。
（４）
前記第２異方性前方拡散層が、前記第１異方性前方拡散層の上面側に配置され、
前記補助光源は、当該補助光源側から入射する当該補助光源の光が前記光拡散層に対して前記第２角度範囲で主に入射するように構成されている
（３）に記載の表示装置。
（５）
前記第２異方性前方拡散層が、前記第１異方性前方拡散層の下面側に配置され、
前記補助光源は、前記表示パネルで反射され、前記表示パネル側から入射する当該補助光源の光が前記光拡散層に対して前記第２角度範囲で主に入射するように構成されている
（３）に記載の表示装置。
（６）
前記第１異方性前方拡散層は、単一の拡散中心軸を有する１または複数の異方性前方拡散層で構成されている
（３）に記載の表示装置。
（７）
前記第１異方性前方拡散層は、
前記第１の拡散中心軸として複数の拡散中心軸を有する第３異方性前方拡散層と、
前記第１の拡散中心軸として単一の拡散中心軸を有する第４異方性前方拡散層と
で構成されている
（３）に記載の表示装置。
（８）
前記光拡散層は、単層の異方性前方拡散層である
（１）または（２）に記載の表示装置。
（９）
前記光拡散層は、前記表示パネル側から入射する光のうち、前記光拡散層に対して前記第２角度範囲で入射する成分の光を相対的に強く拡散し、それ以外の角度範囲で入射する成分の光を相対的に弱く拡散し、さらに、前記表示パネルとは反対側から入射する光のうち、前記光拡散層に対して前記第１角度範囲で入射する成分の光を相対的に強く拡散し、それ以外の角度範囲で入射する成分の光を相対的に弱く拡散するようになっている
（１）ないし（８）のいずれか１つに記載の表示装置。
（１０）
前記光拡散層は、前記表示パネル側から入射する光のうち、前記光拡散層に対して前記第１角度範囲で入射する成分の光を相対的に強く拡散し、それ以外の角度範囲で入射する成分の光を相対的に弱く拡散し、さらに、前記表示パネルとは反対側から入射する光のうち、前記光拡散層に対して前記第１角度範囲で入射する成分の光を相対的に強く拡散し、それ以外の角度範囲で入射する成分の光を相対的に弱く拡散するようになっている
（１）ないし（８）のいずれか１つに記載の表示装置。
（１１）
反射型または半透過型の表示パネルと、
前記表示パネルの上面に設けられた光拡散層と、
前記光拡散層を介して前記表示パネルに光を供給する補助光源と
を備え、
前記光拡散層は、特定方位から第１角度範囲および第２角度範囲で入射する光を相対的に強く拡散し、それ以外の角度範囲で入射する光を相対的に弱く拡散する異方性前方拡散層であり、
前記光拡散層は、前記第１角度範囲内の第１の特定角度に対応する第１の拡散中心軸と、前記第２角度範囲内の第２の特定角度に対応する第２の拡散中心軸とを有し、
前記第１角度範囲および前記第２角度範囲は、前記第１の特定角度と、前記第２の特定角度とを含まない一部の角度範囲において互いに重なり合っており、
前記補助光源は、当該補助光源側から入射する当該補助光源の光、または前記表示パネルで反射され、前記表示パネル側から入射する当該補助光源の光が前記光拡散層に対して前記第２角度範囲で主に入射するように構成されている
表示装置。
（１２）
表示装置を備え、
前記表示装置は、
反射型または半透過型の表示パネルと、
前記表示パネルの上面に設けられた光拡散層と、
前記光拡散層を介して前記表示パネルに光を供給する補助光源と
を有し、
前記光拡散層は、特定方位から第１角度範囲および第２角度範囲で入射する光を相対的に強く拡散し、それ以外の角度範囲で入射する光を相対的に弱く拡散する異方性前方拡散層であり、
前記光拡散層は、前記第１角度範囲内の第１の特定角度に対応する第１の拡散中心軸と、前記第２角度範囲内の第２の特定角度に対応する第２の拡散中心軸とを有し、
前記第１角度範囲と、前記第２角度範囲の入射面対称角度範囲である第３角度範囲とは、前記第１の特定角度と、前記第２の特定角度の入射面対称角度とを含まない一部の角度範囲において互いに重なり合っており、
前記補助光源は、当該補助光源側から入射する当該補助光源の光、または前記表示パネルで反射され、前記表示パネル側から入射する当該補助光源の光が前記光拡散層に対して前記第２角度範囲で主に入射するように構成されている
電子機器。
（１３）
表示装置を備え、
前記表示装置は、
反射型または半透過型の表示パネルと、
前記表示パネルの上面に設けられた光拡散層と、
前記光拡散層を介して前記表示パネルに光を供給する補助光源と
を有し、
前記光拡散層は、特定方位から第１角度範囲および第２角度範囲で入射する光を相対的に強く拡散し、それ以外の角度範囲で入射する光を相対的に弱く拡散する異方性前方拡散層であり、
前記光拡散層は、前記第１角度範囲内の第１の特定角度に対応する第１の拡散中心軸と、前記第２角度範囲内の第２の特定角度に対応する第２の拡散中心軸とを有し、
前記第１角度範囲および前記第２角度範囲は、前記第１の特定角度と、前記第２の特定角度とを含まない一部の角度範囲において互いに重なり合っており、
前記補助光源は、当該補助光源側から入射する当該補助光源の光、または前記表示パネルで反射され、前記表示パネル側から入射する当該補助光源の光が前記光拡散層に対して前記第２角度範囲で主に入射するように構成されている
電子機器。
【符号の説明】
【００７１】
１…表示装置、１０…液晶表示パネル、２０…光学積層体、２０Ａ…入射面、２０Ｂ…第１角度範囲、２０Ｃ…第２角度範囲、２０Ｄ…第３角度範囲、２０Ｅ…重複角度範囲、２１〜２４，６１，６２…光拡散層、２１Ａ，２２Ａ，２３Ａ，２４Ａ…第１領域、２１Ｂ，２２Ｂ，２３Ｂ，２４Ｂ…第２領域、２５…１／４λ板、２６…１／２λ板、２７…偏光板、３０…下側基板、３１…駆動基板、３２…絶縁層、３３…反射電極層、３４，４１…配向膜、４０…上側基板、４２…透明電極層、４３…ＣＦ層、４３Ａ…カラーフィルタ、４３Ｂ…遮光膜、４４…透明基板、５０…液晶層、６０…駆動回路、７０…補助光源、１００…電子機器、１１１…本体部、１１２…表示体部、１１３…表示装置、１１４…表示画面、１１５…操作ボタン、１１６…送話部、１１７…受話部、Ｌａ…外光、Ｌｂ…反射光、Ｌｃ，Ｌｄ，Ｌｅ，Ｌｆ…拡散光、Ｌｇ…光源光。
【図１】
0005707275.tif 000002
【図２】
0005707275.tif 000003
【図３】
0005707275.tif 000004
【図４】
0005707275.tif 000005
【図５】
0005707275.tif 000006
【図６】
0005707275.tif 000007
【図７】
0005707275.tif 000008
【図８】
0005707275.tif 000009
【図９】
0005707275.tif 000010
【図１０】
0005707275.tif 000011
【図１１】
0005707275.tif 000012
【図１２】
0005707275.tif 000013
【図１３】
0005707275.tif 000014
【図１４】
0005707275.tif 000015
【図１５】
0005707275.tif 000016
【図１６】
0005707275.tif 000017
【図１７】
0005707275.tif 000018
【図１８】
0005707275.tif 000019
【図１９】
0005707275.tif 000020
【図２０】
0005707275.tif 000021
【図２１】
0005707275.tif 000022